(57)【要約】【課題】ピロー包装により簡単に製造でき、しかも、直方体の形状を維持することができる包装体およびそのための原反を提供する。【解決手段】シートの合掌合わせにより形成された背張り部１５を有する第１面１１と、第１面に対向する第２面１２と、第１面１１と第２面１２に垂直に設けられた第３面１３と第４面１４を有し、第１面１１と第２面１２と第３面１３と第４面１４により四角柱が形成されており、この四角柱の両口部には封止部１６が形成されていて、第３面１３と第４面１４にはそれぞれ背張り部１５と平行に補強シート３が貼り付けられている。【選択図】図３
2017190139.tif 000002
【特許請求の範囲】
【請求項１】
帯状の連続シートと、連続シートの長さ方向に沿って連続シートに貼り付けられた２本の帯状の補強シートを有する包装体用原反。
【請求項２】
帯状の補強シートに対して平行に開封補助線を有する請求項１に記載の包装体用原反。
【請求項３】
シートの合掌合わせにより形成された背張り部を有する第１面と、第１面に対向する第２面と、第１面と第２面に垂直に設けられた第３面と第４面を有し、第１面と第２面と第３面と第４面により四角柱が形成されており、この四角柱の両口部には封止部が形成されていて、第３面と第４面にはそれぞれ背張り部と平行に補強シートが貼り付けられている包装体。
【請求項４】
第１面において背張り部に平行に設けられたカットテープと、封止部の端部でカットテープ上に設けられた切り込み部１７を有する請求項３に記載の包装体。
【発明の詳細な説明】
【技術分野】
【０００１】
この発明は、食品等を包装する包装体およびその包装体の製造に用いる包装体用原反に関する。
【背景技術】
【０００２】
調理パンや菓子パンなどの包装には、ピロー包装と呼ばれる包装体が使用されている。背張りにより形成された封筒状の袋体に内容物を入れ、口部を熱圧着等で封止する。
【０００３】
また、特許文献１〜３には、ヒダ付きピロー包装体やその製造方法、原反ロールなどが記載されている。その原反ロールは、ヒートシール性を有している包材からなり連続する方向に対して直角方向に帯状に延在するヒダが一定のピッチに形成されているヒダ付き包材であり、そのヒダは、内面同士が合掌状に折り重ねられてヒートシールされることで形成されている。このヒダをピロー包装の下側に合せるようにして包装体を製造することにより、下部が長方形状に固定され、自立可能なピロー包装体になっている。なお、上部側にはヒダは設けられていないので、通常のピロー包装の口部と変わることはない。
【先行技術文献】
【特許文献】
【０００４】
【特許文献１】特許第４０６００７７号特許公報
【特許文献２】特許第４１１８５６８号特許公報
【特許文献３】特許第４１１８５７０号特許公報
【発明の概要】
【発明が解決しようとする課題】
【０００５】
従来より使われている封筒形のピロー包装体は、元の形状は平面的であり、内容物を入れることにより、その内容物の外形に従ってふくらむのみである。自ら立体形状を保つものではないので、少しでも力が加われば変形し、内容物を保護する作用はない。四角のサンドイッチなどを包装しようとすれば、トレーなどの包装材を別途使用し、そのトレーを中に入れる必要がある。
【０００６】
特許文献１〜３に記載されたピロー包装体では下部がヒダによって補強され、直方体の形状をある程度維持することができる。したがって、このヒダのある側を下にして置くことにより、包装体を直立させることができる。しかし、上部側にはヒダは設けておらず、通常のピロー包装体と強度は変わらない。したがって、上部では直方体の形状は保たれない。
【０００７】
また、ヒダは包材の内面同士を合掌状に折り重ねヒートシールして形成されている。したがって、折り重ねを大きくしても、ヒダの基部のみが線状に包装体の本体部と接続されているに過ぎず、補強の効果は限定的である。直方体の形状を強固に保とうとするなら、厚みのあるシートを包材の原材として使用しなければならない。さらにヒダの形成は、原反ロールの長さ方向に対して垂直にしか形成することはできない。したがって、特許文献１〜３に記載された発明によって形成されるピロー包装体では、ヒダが表れる位置や方向が限定される。
【０００８】
この発明は、ピロー包装により簡単に製造でき、しかも、直方体の形状を維持することができる包装体およびそのための原反を提供することを目的とする。
【課題を解決するための手段】
【０００９】
上記の課題を解決するために、この発明の包装体用原反は、帯状の連続シートと、連続シートの長さ方向に沿って連続シートに貼り付けられた２本の帯状の補強シートを有する。これに加えて、帯状の補強シートに対して平行に開封補助線を設けてもよい。
【００１０】
さらにこの発明の包装体は、シートの合掌合わせにより形成された背張り部を有する第１面と、第１面に対向する第２面と、第１面と第２面に垂直に設けられた第３面と第４面を有し、第１面と第２面と第３面と第４面により四角柱が形成されており、この四角柱の両口部には封止部が形成されていて、第３面と第４面にはそれぞれ背張り部と平行に補強シートが貼り付けられている。また、第１面において背張り部に平行にカットテープを設け、封止部の端部でカットテープ上に切り込み部１７が設けてもよい。
【発明の効果】
【００１１】
包装体用原反の連続シートの長さ方向に沿って貼り付けられた補強シートにより包装体の四角柱の少なくとも２つの面が補強され、包装体は直方体の形状を形成することができる。背張りによるピロー包装により簡単に製造することができる。また、この包装体用原反も簡単に製造することができる。
【図面の簡単な説明】
【００１２】
【図１】包装体用原反を示す平面図である。
【図２】同一部拡大図である。
【図３】包装体を示す斜視図である。
【発明を実施するための形態】
【００１３】
本発明を実施するための形態について、図面に基づいて詳細に説明する。図１は包装体用原反を示す平面図である。
【００１４】
包装体用原反１は、一定の幅Ｗの帯状の連続シート２と、連続シート２の長さ方向に沿って連続シート２上に貼り付けられた帯状の補強シート３を有する。この補強シート３は所定の間隔２×Ｌ２を隔てて２本が設けられている。
【００１５】
連続シート２の素材は特に限定されず、包装材としての通常の強度を有するシートであればよく、プラスティックシート、紙シート、あるいはそれらの複合シートなど適宜選択すればよい。そして、この連続シート２の剛性（コシ）はさほど強くなくてもよい。一方、補強シート３は連続シート２よりもコシの強い材料であることが好ましい。ここでは、食品用の包装材として広く使用されている透明なプラスティックフィルムを用いている。そして、補強シート３は熱圧着により連続シート２に貼り付けられている。
【００１６】
この包装体用原反１により直方体の形状のピロー包装体が製造されるが、包装体用原反１の幅Ｗ，対の補強シート３の間隔Ｌ２は、製造されるピロー包装体の形状に基いて定められている。図２は包装体用原反を示す拡大平面図であり、１周期分の詳細を示す。幅Ｗは製造される包装体の周囲長と背張り１５に要する幅Ｌ３を加えた長さに対応している。また、補強シート３の対の間隔２×Ｌ２および位置も、製造される包装体の周囲長に対応している。そして、繰り返し周期Ｌ１は、１体の包装体を作るのに必要な長さに対応する。
【００１７】
後述するカットテープを除くと包装体用原反１は、長さ方向の中心線に対して左右対称な形状になっている。そして、補強シート３の幅中心の位置は、包装体用原反１の中心線からＬ２の距離だけ離れた位置になっている。ここで、包装体用原反１の両側縁４から幅Ｌ３の範囲が背張り１５に要するとすると、包装体用原反１の中心線から補強シート３の幅中心までの距離Ｌ２は、以下のようになる。
Ｌ２＝（Ｗ−２×Ｌ３）／４
後述するように、この条件を満たすとき補強シート３は包装体の側面中央に表れる。
【００１８】
以上、２本の補強シート３が包装体用原反１の連続シート２の長さ方向に沿って貼り付けられている。補強シート３は連続的に設けられる。したがって、連続シート２を流しながら２本の補強シート３を貼り付けていくだけで、包装体用原反１を簡単に製造することができる。補強シート３は３本以上設けてもよい。また、補強シート３に対して平行にハーフカットやミシン目などの開封補助線を設けてもよい。たとえば、図１の例では１本のカットテープ５が開封補助線として、２本の補強シート３の外側で、しかも背張り部よりは内側に設けられている。このカットテープ５は補強シート３が貼り付けられている面とは逆の面に取り付けられている。
【００１９】
この包装体用原反１はボビンに巻かれ、原反ロールとして供給することができる。
【００２０】
次に、この包装体用原反１の使用方法について説明する。包装体用原反１はボビンから引き出されながら、使用される。補強シート３が貼り付けられている面を下向きにして、補強シート３が貼り付けられていない面の上に調理パンなどの内容物を載せる。連続シート１の側辺４同士を合掌合わせに重ねて背張り部を形成し、四角柱の形状の筒を形成する。この筒の中に内容物は収納される。
【００２１】
繰り返し周期Ｌ１で定められた位置で切断するとともに、その切断部を熱圧着等で封止して、四角柱の両口部に封止部１６を形成する。四角柱の一つの面の中心部に背張り１５を形成することにより、補強シート３は側面となる第３面１３と第４面１４の中心線上に表れる。こうして、図３に示すような直方体状の包装体１０が製造されるが、このとき、内容物は包装体の中に収納されている。すなわち、ここで説明した包装体の製造方法は、包装方法でもある。
【００２２】
このような包装は、既に普及している製袋機で自動的に行うことができる。本発明の包装体用原反１を導入すればよく、設備を大がかりに変更する必要はない。
【００２３】
また、口部の片側だけを封止し、他方を開いた状態の袋体を製造し、その袋体を提供してもよい。この場合、開口部より内容物を入れ、その口部を封止することにより、同様な包装体を形成することができる。製袋機を持たない小規模な事業者でも本発明を利用することができる。
【００２４】
図３は包装体を示す斜視図である。包装体１０は、シートの合掌合わせにより形成された背張り部１５を有する第１面１１と、第１面１１に対向する第２面１２と、第１面１１と第２面１２に垂直に設けられた第３面１３と第４面１４を有する。この第１面１１と第２面１２と第３面１３と第４面１４により四角柱が形成されている。この四角柱の両口部には封止部１６が形成されていて、包装体１０が密封されている。側面である第３面１３と第４面１４に補強シート３が貼り付けられている。この補強シート３と背張り部１５が支柱となり、包装体１０は全体として概ね直方体の外形になっている。したがって、丸いハンバーガーなどを収納しても、包装体１０は直方体の形状を保ち、口部を下にして、直立状態に置くこともできる。このような置き方は、従来のピロー包装体ではできなかった。
【００２５】
本例の包装体では、補強シート３と背張り部１５は平行であり、封止部１６に対して垂直である。したがって、封止部１６のどこかに切り込みなど開封開始点を設ければ、開封するときに開列線は補強シート３や背張り部１５と交差することなく進行する。こうして容易に開封することができる。また、開封補助線も補強シート３や背張り部１５に交差しないように設けることができ、やはり、開封を容易にすることができる。図３の例では、図１に示す包装体用原反１を使用することによりカットテープ５が第１面１１において背張り部１５と平行に取り付けられている。また、封止部１６にはカットテープ５の端部をつまむための切り込み部１７が設けられている。この切り込み部１７をつまんで引き上げることによりカットテープ５に沿って簡単に開封することができる。
【００２６】
本願発明では、補強シート３は貼り付けによって取り付けられているので、補強シート３の全面が補強材として作用する。したがって、比較的薄いシートであっても、直方体の形状を効果的に保つことができる。
【符号の説明】
【００２７】
１．包装体用原反
２．連続シート
３．補強シート
５．開封補助線（カットテープ）
１０．包装体
１１．第１面
１２．第２面
１３．第３面
１４．第４面
１５．背張り
１６．封止部
１７．切り込み部
【図１】
2017190139.tif 000003
【図２】
2017190139.tif 000004
【図３】
2017190139.tif 000005